(57)【要約】【課題】本発明は、食器洗浄機のメンテナンスを容易にすることを目的とする。又、汚れや雑菌が付着しにくくすることを目的とする。又、清掃を容易とすることを目的とする。【解決手段】洗浄槽２の底面２１を平面状に形成し、前壁面２２１を底面２１に向けて奥方向に傾斜させて形成し、又、洗浄槽２の内側の辺部２３及び隅部２４は、凹状の曲面状に形成し、洗浄槽２内方に突出する、ラックレール３３の軸受２５や仕切板３１の支持部２５を少なくとも立上り部を曲面状に形成し、更に、機械室１１０において、洗浄水ポンプ３８及び濯ぎ水ポンプ３９を、奥側に並例させ、電装盤３７を着脱自在に、洗浄ポンプ３８及び濯ぎ水ポンプ３９の前側に設置した。【選択図】図１
2010057844.tif 000002
【特許請求の範囲】
【請求項１】
食器類を収納した洗浄室において、洗浄水ポンプを用いて洗浄ノズルから洗浄水を噴射させて前記食器類を洗浄し、次いで濯ぎ水ポンプを用いて濯ぎノズルから濯ぎ水を噴射させて前記食器類の濯ぎを行う食器洗浄機であって、前記洗浄室の下方に設け、洗浄水を貯留する洗浄槽の底面を平面状に形成したことを特徴とする食器洗浄機。
【請求項２】
前記洗浄槽の底面に設けた、前記洗浄水ポンプへ連結される吸水孔に、側面に吸込み口を有すると共に、上面が塞がれたストレーナを被覆したことを特徴とする請求項１に記載の食器洗浄機。
【請求項３】
前記吸水孔の周囲に、前記ストレーナが内側に設置される突起を設けたことを特徴とする請求項２に記載の食器洗浄機。
【請求項４】
前記洗浄槽は、四角形の底面端部から側面が立設され、前壁面を前記底面に向けて奥方向に傾斜させて形成したことを特徴とする請求項１から３のうちいずれか１項に記載の食器洗浄機。
【請求項５】
前記洗浄槽の内側の辺部及び隅部は、凹状の曲面状に形成したことを特徴とする請求項１から４のうちいずれか１項に記載の食器洗浄機。
【請求項６】
洗浄する食器類を収納したラックを載置するラックレールから突出した軸を、回動自在且つ着脱自在に支持するＣ字状の軸受を、前記洗浄槽の内側面に、少なくとも立上り部を曲面状に形成して突設したことを特徴とする請求項１から５のうちいずれか１項に記載の食器洗浄機。
【請求項７】
前記洗浄槽を上下に区切る仕切り板を、前記洗浄槽内で支持する支持部を、前記洗浄槽の内側面に、少なくとも立上り部を曲面状に形成して突設したことを特徴とする請求項１から６のうちいずれか１項に記載の食器洗浄機。
【請求項８】
前記洗浄槽内に設ける複数のヒーターを同一形状に平面上に曲折し、上下方向に並べると共に、横方向にずらして設置したことを特徴とする請求項１から７のうちいずれか１項に記載の食器洗浄機。
【請求項９】
前記洗浄水ポンプのケーシング底部前面に排水口を設け、該排水口に第一排水管を接続し、該第一排水管の他端に止水弁を設け、該止水弁に第二排水管を接続し、該第二排水管の他端を前記洗浄槽の洗浄水を排水する排水管に接続したことを特徴とする請求項１から８のうちいずれか１項に記載の食器洗浄機。
【請求項１０】
前記洗浄槽において、洗浄水を貯留する洗浄タンク部と前記洗浄室を仕切るための一対の略Ｔ字形状の仕切板を、Ｔ字の脚部下端をつき合わせて配置し、該一対の付き合わされた仕切板により形成される凹部にごみ受けかごを設置したことを特徴とする請求項１から９のうちいずれか１項に記載の食器洗浄機。
【請求項１１】
前記洗浄槽の底面に設けた排水口に、挿脱が可能な、両端が開口した管状の排水栓を設置し、該排水栓の上部に回動自在に軸支され、外部からの応力が加えられない時に、上方に起立する取手を設けたことを特徴とする請求項１から１０のうちいずれか１項に記載の食器洗浄機。
【請求項１２】
前記洗浄槽の下方に形成される機械室において、前記洗浄水ポンプ及び前記濯ぎ水ポンプを、奥側に並例させて、食器洗浄機の作動を制御するための電装盤を着脱自在に、前記洗浄ポンプ及び前記濯ぎ水ポンプの前側に設置したことを特徴とする請求項１から１１のうちいずれか１項に記載の食器洗浄機。
【請求項１３】
前記Ｃ字状の軸受は、絞り加工で形成されたことを特徴とする請求項６に記載の食器洗浄機。
【請求項１４】
前記支持部は、絞り加工で形成されたことを特徴とする請求項７に記載の食器洗浄機。
【発明の詳細な説明】
【技術分野】
【０００１】
本発明は、食器洗浄機に関し、特に洗浄槽の洗浄水を洗浄水ポンプで循環させ、洗浄ノズルから洗浄水を噴射させて食器類を洗浄し、次いで濯ぎ水ポンプを用いて濯ぎノズルから濯ぎ水を噴射させて食器類の濯ぎを行う食器洗浄機に関する。
【背景技術】
【０００２】
従来、洗浄槽の洗浄水を洗浄水ポンプで循環させ、洗浄ノズルから洗浄水を噴射させて食器類を洗浄する食器洗浄機において、洗浄槽、洗浄タンクとしては、食器洗浄機の手前側が浅く、奥側が深い二段構造のものが用いられている（例えば、特許文献１、２参照。）。そして、奥側の深い部分は、食器洗浄機の下部筐体の底部まで達していた。又、手前側の浅い部分の前壁面は鉛直方向に起立し、前面化粧板と近接していた。
【０００３】
又、洗浄室内で、洗浄する食器類を収納したラックを載置するラックレールを備え、該ラックレールに設けた軸を洗浄槽に設けた軸受に軸支させ、ラックレールを回動自在に支持する構成が提案されている（例えば、特許文献３参照。）。そして、この軸受は、板材を曲折し、軸を挿入する切欠部を設けた張出し材を洗浄槽に配置し、該切欠部にラックレールの軸を挿入した後、押え板がネジ止めされている構造である。
【０００４】
又、洗浄槽に複数のヒーターを設けたものも使用されているが、長いＵ字状に形成されたヒーターを上下方向に一列に、夫々の真上又は真下に配置されるように設置されている。
【０００５】
【特許文献１】特開２００７−１１１３４８号公報
【特許文献２】特開２００５−２３０１９２号公報
【特許文献３】特開平１０−２５８０１１号公報
【発明の開示】
【発明が解決しようとする課題】
【０００６】
しかし、従来の上記の手前側が浅く、奥側が深い二段構造の洗浄槽を備える食器洗浄機では、奥側の深い部分は、食器洗浄機の下部筐体の底部まで達しているので、洗浄槽の下方に形成される機械室において、奥側にポンプ等の機械を設置する空間はなかった。そのため、機械室に配置する洗浄水ポンプ、濯ぎ水ポンプ、配管及び電装箱等の設置スペースに余裕がなく、配置位置が制限され、総てに正面から手を届かせることが出来ず、メンテナンス性が極めて悪かった。更に、このような形状の洗浄槽では、面と面が接合する辺部、３面が接合する隅部の、特に段部の隅部の曲面を形成することが極めて煩雑で、手間がかかるという問題点があった。
【０００７】
又、洗浄槽の手前側の前壁面は鉛直方向に起立し、前面化粧板と近接しているので、洗浄槽の前壁面内側に加熱ヒーターを設けて、前壁面の外側に配線接続部を設置することが出来ず、ヒーターのメンテナンスも、正面から行うことが出来なかった。
【０００８】
又、上記のような従来の、ラックレールを支持する軸受の構成、形状では、ラックレールの着脱が容易ではなく、軸受部分に汚れ、雑菌がたまり易く、しかも清掃が容易ではないという問題点を有していた。又、このような構成は、ラックレールの軸受けに限定されず、洗浄槽において、洗浄水を貯留する洗浄タンク部と前記洗浄室を仕切るための仕切板を支持する支持部も、洗浄槽と別部材を曲折し、ネジ止めしたりして形成していたので、同様な問題点があった。
【０００９】
又、長いＵ字状に形成されたヒーターを上下方向に一列に、夫々の真上又は真下に配置している場合、ヒーターの清掃が極めて煩雑で、充分に清掃出来ないという問題点があった。
【００１０】
更に、洗浄終了後に、洗浄水ポンプには、使用済みの洗浄水が残留し、次回の洗浄の際に、該使用済みのきれいではない洗浄水が、新しい洗浄水と混ざってしまうという問題点があった。
【００１１】
そこで、本発明は、食器洗浄機のメンテナンスを容易にすることを目的とする。又、汚れや雑菌が付着しにくくすることを目的とする。又、清掃を容易とすることを目的とする。又、使用済みのきれいではない洗浄水が、新しい洗浄水と混ざることを防止することを目的とする。
【課題を解決するための手段】
【００１２】
上記課題を解決するための手段としての本発明は、食器類を収納した洗浄室において、洗浄水ポンプを用いて洗浄ノズルから洗浄水を噴射させて前記食器類を洗浄し、次いで濯ぎ水ポンプを用いて濯ぎノズルから濯ぎ水を噴射させて前記食器類の濯ぎを行う食器洗浄機であって、前記洗浄室の下方に設け、洗浄水を貯留する洗浄槽の底面を平面状に形成したことを特徴とする食器洗浄機である。
【００１３】
又、上記食器洗浄機において、前記洗浄槽の底面に設けた、前記洗浄水ポンプへ連結される吸水孔に、側面に吸込み口を有すると共に、上面が塞がれたストレーナを被覆したことを特徴とする食器洗浄機である。
【００１４】
又、上記食器洗浄機において、前記吸水孔の周囲に、前記ストレーナが内側に設置される突起を設けたことを特徴とする食器洗浄機である。
【００１５】
又、上記食器洗浄機において、前記洗浄槽は、四角形の底面端部から側面が立設され、前壁面を前記底面に向けて奥方向に傾斜させて形成したことを特徴とする食器洗浄機である。
【００１６】
又、上記食器洗浄機において、前記洗浄槽の内側の辺部及び隅部は、凹状の曲面状に形成したことを特徴とする食器洗浄機である。
【００１７】
又、上記食器洗浄機において、洗浄する食器類を収納したラックを載置するラックレールから突出した軸を、回動自在且つ着脱自在に支持するＣ字状の軸受を、前記洗浄槽の内側面に、少なくとも立上り部を曲面状に形成して突設したことを特徴とする食器洗浄機である。
【００１８】
又、上記食器洗浄機において、前記洗浄槽を上下に区切る仕切り板を、前記洗浄槽内で支持する支持部を、前記洗浄槽の内側面に、少なくとも立上り部を曲面状に形成して突設したことを特徴とする食器洗浄機である。
【００１９】
又、上記食器洗浄機において、前記洗浄槽内に設ける複数のヒーターを同一形状に平面上に曲折し、上下方向に並べると共に、横方向にずらして設置したことを特徴とする食器洗浄機である。
【００２０】
又、上記食器洗浄機において、前記洗浄水ポンプのケーシング底部前面に排水口を設け、該排水口に第一排水管を接続し、該第一排水管の他端に止水弁を設け、該止水弁に第二排水管を接続し、該第二排水管の他端を前記洗浄槽の洗浄水を排水する排水管に接続したことを特徴とする食器洗浄機である。
【００２１】
又、上記食器洗浄機において、前記洗浄槽において、洗浄水を貯留する洗浄タンク部と前記洗浄室を仕切るための一対の略Ｔ字形状の仕切板を、Ｔ字の脚部下端をつき合わせて配置し、該一対の付き合わされた仕切板により形成される凹部にごみ受けかごを設置したことを特徴とする食器洗浄機である。
【００２２】
又、上記食器洗浄機において、前記洗浄槽の底面に設けた排水口に、挿脱が可能な、両端が開口した管状の排水栓を設置し、該排水栓の上部に回動自在に軸支され、外部からの応力が加えられない時に、上方に起立する取手を設けたことを特徴とする食器洗浄機である。
【００２３】
又、上記食器洗浄機において、前記洗浄槽の下方に形成される機械室において、前記洗浄水ポンプ及び前記濯ぎ水ポンプを、奥側に並例させて、食器洗浄機の作動を制御するための電装盤を着脱自在に、前記洗浄ポンプ及び前記濯ぎ水ポンプの前側に設置したことを特徴とする食器洗浄機である。
【００２４】
又、上記食器洗浄機において、前記Ｃ字状の軸受は、絞り加工で形成されたことを特徴とする食器洗浄機である。
【００２５】
又、上記食器洗浄機において、前記支持部は、絞り加工で形成されたことを特徴とする食器洗浄機である。
【発明の効果】
【００２６】
以上のような本発明によれば、食器洗浄機のメンテナンスが容易になった。又、汚れや雑菌が付着しにくくなった。又、清掃を容易とすることが出来た。又、使用済みのきれいではない洗浄水が、新しい洗浄水と混ざることを防止することが可能となった。
【発明を実施するための最良の形態】
【００２７】
以下本発明の実施の形態を図に従って説明する。図１に示すように、本発明の食器洗浄機１は、下部筐体１１と下部筐体１１の背面に立設された後壁１３、後壁１３に上下方向にスライド自在に支持された箱型の蓋１４を備えて構成され、下部筐体１１の上方には、洗浄する食器類が収納され洗浄される洗浄室１０が形成されている。蓋１４は、その両端が後壁１３の両側部に軸支されると共に、蓋１４にアーム１４２を介して軸支された、蓋１４の前方に中間部が位置するコの字型のハンドル１４１により上下移動がなされ、洗浄室１０は、蓋１４の上下移動により開閉される。
【００２８】
図４によく示すように、下部筐体１１の上部であって、洗浄室１０の下方には、洗浄水２００が貯留される洗浄槽２が設けられ、洗浄槽２と洗浄室１０の間には、洗浄水２００を貯留する洗浄タンク部２０１と前記洗浄室１０を仕切るための仕切板３１が設けられている。
【００２９】
洗浄槽２は、図５に示すように、洗浄槽部と洗浄水タンク部を一体に形成したもので、平底型であり、底面２１が平面状に形成され、段部を有していない。又その深さは、設置する食器洗浄機１の下部筐体１１の高さ等に応じて決定するが、下部筐体１１内の洗浄槽２の下方に形成される空間、後述のポンプ等を設置する機械室に充分な空間が取れるような深さとする。又、底面２１が略四角形で、底面２１端部から四側面２２１，２２２，２２３，２２４が立設され、前壁面２２１を底面２１に向けて食器洗浄機１の奥方向、即ち奥側側面２２３方向に傾斜させて形成している。
【００３０】
又、洗浄槽２の内側の総ての辺部２３及び総ての隅部２４は、凹状の曲面状に形成している。このような構成とすることで、辺部２３及び隅部２４にごみや雑菌がたまり難くし、しかも清掃を容易とすることが出来る。
【００３１】
仕切板３１は、図４、図７及び図８に示すように、一対の板状の略Ｔ字形状の仕切板３１０，３１１で構成し、仕切板３１０，３１１のＴ字の脚部下端３１５，３１６をつき合わせて配置し、仕切板３１０は、洗浄槽２の対向する側面２１２，２１４の内側面に突出させて形成した支持部２５及び後述する洗浄水配管５に載置し、仕切板３１１は、支持部２５及び仕切板３１０の脚部下端３１５から延設した支持片３１９上に載置して設置している。
【００３２】
又、該一対の付き合わされた仕切板３１０，３１１により形成される凹部３１８には、所定の深さを有するごみ受けかご３２が嵌めこまれ、着脱自在に設置されている。仕切板３１及びごみ受けかご３２はこのような構成、配置であるので、着脱が極めて容易で、清掃が容易である。
【００３３】
支持部２５は、上述のように、洗浄槽２を上下に区切る仕切り板３１を、洗浄槽２内で支持するものであり、図５によく示すように、洗浄槽２の内側面に、少なくとも、洗浄槽２の内側面と支持部２５の境目である、立上り部２５１を、凹状の曲面状に形成して突設している。勿論、全体に角部がないように、形成することが好ましい。このような形状に形成するため、例えば支持部２５は、絞り加工で形成することが出来る。このような構成とすることで、独立した支持用部材の取付による隅部への汚れ及び雑菌の付着を防止でき、又、清掃も容易となる。
【００３４】
洗浄槽２の底面２１には、図６に示すように、洗浄槽２内の洗浄水２００を排水するための排水口２１１、洗浄水ポンプ３８へ連結される吸水孔２１２、洗浄水配管５が貫通する洗浄水配管用孔２１３、濯ぎ水配管６が貫通する濯ぎ水配管用孔２１４が設けられている。
【００３５】
排水口２１１には、図４に示すように、洗浄槽２から洗浄水２００が溢れ、洗浄室１０に浸入しないように、溢水管となる、両端が開口した管状の排水栓１７を挿脱可能に設置し、排水栓１７の上部に回動自在に軸支され、外部からの応力が加えられない時に、上方に起立する取手１８を設けている。取手１８には軸１８１が設けられ、軸１８１が排水栓１７の上部に穿孔した図示しない孔に挿入されている。取手１８は仕切板３１により押圧されているが、仕切板３１を取外し、応力から開放されると、軸１８１を中心に自重により回転し取手１８の一端が上方へ移動し、他端が排水栓１７に当接して回動が規制され、この際取手１８の一端は洗浄水２００の水面より確実に突出する。このような構成であるので、熱せられた洗浄水２００を洗浄槽２から排水する際にも、取手１８を引っ張って排水栓１７を抜けばよく、作業者が火傷をすることなく、安全に排水することが出来る。
【００３６】
又、吸水孔２１２は、洗浄水ポンプ３８へ連結され、洗浄槽２の洗浄水２００が吸込まれる孔である。図２に示すように、吸水孔２１２は、側面に洗浄水２００を吸込む吸込み口を有すると共に、上面が塞がれたストレーナ３４を被覆している。円筒状のストレーナ３４の側面３４１は、板体に多数の孔を穿孔して多数の吸込み口を形成しているが、網状体等で構成してもよい。又、上面３４２には、吸込み口を全く設けていない。本発明における洗浄槽２は浅型であるので、洗浄水２００と吸水孔２１２との距離が近く、上面に吸込み口があると、渦巻きが生じた時には、水面から延び渦内の空気が取り込まれて、洗浄水ポンプ３８に送られてしまい、洗浄水ポンプ３８の性能を低下させてしまう。そこで、上記構成にようにストレーナ３４の側面３４１にのみ吸込み口を設け、上面３４２に設けないことで、渦巻きを発生しにくくし、洗浄水ポンプ３８の性能の低下防止、ひいては洗浄能力の低下を防止することが出来る。
【００３７】
図６に示すように、洗浄槽２の底面２１上の吸水孔２１２の周囲には、底面２１から上方に突出する位置決め突起３４９を所定の間隔をおいて環状に形成し、ストレーナ３４を、環状に配置された複数の位置決め突起３４９の内側に設置し、ストレーナ３４の位置決めをしている。尚、位置決め突起３４９の形状、数、配置は、ストレーナ３４の形状に対応し、ストレーナ３４を内側に設置できれば特に限定されない。
【００３８】
洗浄槽２には、図３及び図６に示すように、洗浄水２００を加熱するための電気ヒーター２０１を複数設けている。電気ヒーター２０１は、略Ｍ字型等の同一形状に平面上に曲折し、傾斜した前壁面２２１に、上下方向に並べると共に、横方向にずらして設置している。略Ｍ字型に形成することにより、奥行長を短くすることが出来、前壁面２２１に設置することにより前後方向にずれ、更に横方向にずらしているので、清掃が極めて容易となっている。又、奥方向に傾斜している前壁面２２１に設置しているので、洗浄槽２の外側に下部筐体１１の前面化粧板１１９との空間を確保することが出来、該空間に電気ヒーター２０１の接続端子を配して、前面から配線が出来るので、メンテナンスが極めて容易となった。
【００３９】
洗浄槽２の上方には、図１及び図７に示すように、洗浄する食器が収納される図示しないラックが載置されるラックレール３３が、後壁１３方向に回動自在に設置されている。即ち、ラックレール３３の後方の両側面から回動軸３３１が突出し、回動軸３３１は、回動自在且つ着脱自在に支持するＣ字状の軸受２７に挿入されている。
【００４０】
軸受２７は、図５によく示すように、洗浄槽２の内側面に、少なくとも、洗浄槽２の内側面と支持部２５の境目である、立上り部２７１を、凹状の曲面状に形成して突設している。勿論、全体に角部がないように、形成することが好ましい。このような形状に形成するため、例えば軸受２７は、絞り加工で形成することが出来る。このような構成とすることで、独立した支持用部材の取付による隅部への汚れ及び雑菌の付着を防止でき、又、清掃も容易となる。軸受２７のＣ字状の切れ目部分２７７、即ち回動軸３３１が挿脱される部分は前方斜め上方向に向けることにより、ラックレール３３を確実に保持しつつ、その挿脱を容易とすることが出来る。
【００４１】
洗浄槽２内等の清掃時に、ラックレール３３を後壁１３方向に回動させ、後壁１３と平行に並例させて起立させるが、この回動時には、ラックレール３３の前面に設けた把持部３３３を握って行えばよい。
【００４２】
下部筐体１１の底部であって、洗浄槽２の下方に形成された機械室１１０には、洗浄槽２内の洗浄水２００を循環させる洗浄水ポンプ３８、食器を濯ぐ温水を送出する濯ぎ水ポンプ３９、食器洗浄機１の作動を制御するための電装盤３７が収納されている。
【００４３】
洗浄水ポンプ３８及び濯ぎ水ポンプ３９は、図１及び２に示すように、機械室１１０の奥側、即ち後壁１３側に横並びに、回転軸を食器洗浄機１の前後方向に向けて並例させて設置している。この構成は、洗浄槽２が段部を有さない平底型であることにより、初めて達成できる配置であり、洗浄水ポンプ３８及び濯ぎ水ポンプ３９のメンテナンスを食器洗浄機１の前側から行うことが出来、極めて便利である。濯ぎ水ポンプ３９は、図示しない外部の温水供給器から温水の供給をうけるので、側面側に設置することが好ましく、又、引き出し可能な移動ベース上に設置してもよい。食器洗浄機１の作動を制御するための電装盤３７は図示しないネジ等を用いて着脱自在に、洗浄ポンプ３８及び濯ぎ水ポンプ３９の前側に設置している。電装盤３７が容易に着脱自在であるので、電装盤３７の奥側にある洗浄ポンプ３８及び濯ぎ水ポンプ３９等のメンテナンスも容易となっている。
【００４４】
又、図２に示すように、洗浄水ポンプ３８のケーシング底部前面には排水口を設け、該排水口に第一排水管３８１を接続し、第一排水管３８１の他端に止水弁３８２を設け、止水弁３８２に第二排水管３８３を接続し、第二排水管３８３の他端を洗浄槽２の水を排水する排水口２１１と接続する排水管１１５に接続している。尚、止水弁３８２はコック３８８で開閉される。このような構成とすることで、コック３８８で止水弁３８２を開け、洗浄水ポンプ３８内の使用済みの洗浄水を、第一排水管３８１、止水弁３８２及び第二排水管３８３を介して排水管１１５に排水することが出来、使用済みの洗浄水が洗浄水ポンプ３８に残留することがなく、次回の洗浄の際に、きれいな洗浄水のみで、洗浄を行うことが出来る。
【００４５】
図１から図３に示すように、洗浄水ポンプ３８に連設された洗浄水配管５は、洗浄水配管用孔２１３を通って、洗浄槽２の底面２１を貫通し、洗浄槽２内の略中央に突出し、枝分かれして、一方は先端を上方、洗浄室１０方向に向け突出し、他方は曲折して、後壁１３側で立上り、洗浄室１０の上側略中央で、下方に曲折し、先端を下方に向けて設置されている。又、濯ぎ水ポンプ３９に連設された濯ぎ水配管６は、濯ぎ水配管用孔２１４を通って、洗浄槽２の底面２１を貫通して、洗浄槽２内に突出し、洗浄槽２内で枝分かれして、一方は、洗浄槽２内の略中央に上方に向けて突出した洗浄水用配管５内に入り、その先端から突出し、他方は曲折して、後壁１３側で立上り、洗浄室１０の上側略中央で、洗浄水配管５内に入り、下方に向いた洗浄水配管５の先端から下方に突出している。そして、夫々の洗浄水配管５の先端には洗浄ノズル７が、濯ぎ水配管６の先端には濯ぎノズル８が、着脱自在に取り付けられている。
【００４６】
洗浄水ポンプ３８は、洗浄槽２の底面２１に穿孔した吸水孔２１２と連設した送水管３８０と連結し、洗浄槽２内の洗浄水２００を吸引し、洗浄水配管５、洗浄ノズル７へ送る。又、濯ぎ水ポンプ３９は、図示しない外部に設けられた温水を供給する温水供給器と給水管３９０を介して連結し、未使用の温水を濯ぎ水配管６、濯ぎノズル８へ送る。
【００４７】
洗浄室１０の下側に設けられた洗浄ノズル７及び濯ぎノズル８は、仕切板３１とラックレール３３間に位置して設置され、上側の洗浄ノズル７及び濯ぎノズル８は、洗浄室１０の上部に位置して設置されている。洗浄ノズル７及び濯ぎノズル８の構成は上側と下側とで同一であり、取付構造は、上側と下側とで上下対称である。尚、洗浄ノズル７及び濯ぎノズル８は上側又は下側の一方にのみ設置することとしてもよい。
【００４８】
洗浄ノズル７は、図１から図４及び図９、図１０に示すように、細長皿状で、断面凹状の、縁部にフランジ７３を有し、長手方向に所定の間隔をおいてノズル孔７１を有し、中心部に濯ぎ水配管６が挿入される管挿入孔を有する表面ケース７５と、細長皿状で、断面凹状の、縁部にフランジ７６を有し、中心部に洗浄水配管５が挿入される管挿入孔を有するする裏面ケース７９を上下方向から重ねて固定して形成している。
【００４９】
表面ケース７５と裏面ケース７９の固定は、夫々がステンレス等で形成されている場合、重ねたフランジに通電してシーム溶接により行うことも出来るが、フランジの角を突出させずに、作業者の手を傷つけることを防止するため、一方のフランジ７３を曲折して他方のフランジ７６を挟み込み、かしめて、挟持させて固定して形成することが好ましい。尚、フランジ７６を曲折して他方のフランジ７３を挟み込む構成としてもよい。
【００５０】
又、上側に設置する洗浄ノズル７の裏面ケース７９の底面７９２は、設置時に水平となる平面状ではなく、裏面ケース７９の底面７９２を、裏面ケース７９の短手方向の側端に向けて下がる傾斜を設けることが好ましい。このような形状とすることで、洗浄運転の終了後に、洗浄ノズル７の裏面ケース７９上に洗浄水がたまることを防止し、洗浄運転終了後の洗浄ノズル７からの洗浄液の滴下の時間を短縮することが出来、又、洗浄液と濯ぎ水との混合を防止することが出来る。
【００５１】
裏面ケース７９の底面７９２を、裏面ケース７９の短手方向の側端に向けて下がる傾斜を設けるため、底面７９２を洗浄ノズル７の短手方向の断面が、外方に突出する曲面状とすることができ、又、このように曲面状とするほか、洗浄ノズル７の短手方向の何れか側或いは両側に向かって下がるように傾斜した平面形状としても、同様の効果を得ることが出来る。
【００５２】
濯ぎノズル８は、長手方向に所定の間隔をおいて噴出口８３を設けた、先端が閉じられた円筒状のノズルヘッダー８１を複数本放射状に保持するノズルホルダー８２を備えて形成され、ノズルホルダー８２の横方向に突出するヘッダー設置筒部８２１にノズルヘッダー８１が挿入され、ヘッダー設置筒部８２１を貫通するネジにより固定されている。
【００５３】
洗浄水配管５の先端部分の略中央には、濯ぎ水配管６が配置され、洗浄水配管５の先端から濯ぎ水配管６が突出している。尚、上側及び下側の洗浄ノズル７及び濯ぎノズル８の構成及び取付構造は同一である。洗浄水配管５の先端は洗浄ノズル７に挿入され、濯ぎ水配管６は洗浄ノズル７を貫通し、濯ぎノズル８と接続している。
【００５４】
このような食器洗浄機１の使用、動作について説明すると、洗浄する食器が収納された図示しないラックがラックレール３３上に載置され、蓋１４をハンドル１４１により下方向に移動させて洗浄室１０を閉じる。蓋１４を閉めると、自動的に近接スイッチが入り、洗浄水ポンプ３８を作動させ、洗浄槽２内の洗浄水２００を洗浄水配管５を通して洗浄ノズル７に送る。或いは、電装盤３７と接続された操作パネル１００の作動開始のスイッチ１０１をオンにし、洗浄水ポンプ３８を作動させる構成としてもよい。洗浄ノズル７に送られた洗浄水２００は、ノズル孔７１から洗浄する食器及び洗浄室１０内の食器洗浄機１の各種部材にむかって噴出される。洗浄ノズル７は回転自在に設置されているので、洗浄水の噴射により回転する。食器及び洗浄室１０内の食器洗浄機１の各種部材を洗浄した洗浄水は、仕切板３１及びごみ受けかご３２を流れ、食器に付着していたごみはごみ受けかご３２に集められ、ごみが混じっていない洗浄水２００は再び洗浄槽２に流入し、以後同様に循環する。
【００５５】
所定時間の洗浄後、洗浄水ポンプ３８が停止し、濯ぎ水ポンプ３９が作動し、外部の温水供給器から未使用の温水を濯ぎ水配管６、濯ぎノズル８へ送る。濯ぎノズル８に送られた濯ぎ水は、ノズル孔８３から濯ぐ食器及び洗浄室１０内の食器洗浄機１の各種部材にむかって噴出される。濯ぎノズル８は回転自在に設置されているので、濯ぎ水の噴射により回転する。食器及び洗浄室１０内の食器洗浄機１の各種部材を濯いだ濯ぎ水は、仕切板３１及びごみ受けかご３２を流れ、洗浄槽２に流入する。洗浄槽２内の洗浄水が増えると、溢水管たる排水栓１７から洗浄槽２外へと排水される。所定時間の濯ぎ後、濯ぎ水ポンプ３９が停止し、食器の洗浄が完了する。
【図面の簡単な説明】
【００５６】
【図１】本発明一実施例斜視図
【図２】本発明一実施例内部構成斜視図
【図３】本発明一実施例部分斜視図
【図４】本発明一実施例概略側面図
【図５】洗浄槽一実施例斜視図
【図６】洗浄槽一実施例平面図
【図７】本発明一実施例洗浄槽部分平面図
【図８】仕切板一実施例平面図
【図９】洗浄ノズル一実施例を示す図であり、（ａ）は底面図（ｂ）は側面図
【図１０】図９（ａ）Ａ−Ａ断面図
【符号の説明】
【００５７】
１      食器洗浄機
１０    洗浄室
１００  操作パネル
１０１  スイッチ
１１    下部筐体
１１０  機械室
１３    後壁
１４    蓋
１４１  ハンドル
１７    排水栓
１８    取手
２      洗浄槽
２０１  電気ヒーター
２１１  前壁面
２７    軸受
２００  洗浄水
２５    支持部
３１    仕切板
３１０  仕切板
３１１  仕切板
３２    ごみ受けかご
３３    ラックレール
３４    ストレーナ
３４９  位置決め突起
３７    電装盤
３８    洗浄水ポンプ
３８１  第一排水管
３８２  止水弁
３８３  第二排水管
５      洗浄水配管
６      濯ぎ水配管
７      洗浄ノズル
７１    ノズル孔
７５    表面ケース
７９    裏面ケース
７９２  裏面ケースの底面
８      濯ぎノズル
８１    ノズルヘッダー
８２    ノズルホルダー
８２１  ヘッダー設置筒部  
【図１】
2010057844.tif 000003
【図２】
2010057844.tif 000004
【図３】
2010057844.tif 000005
【図４】
2010057844.tif 000006
【図５】
2010057844.tif 000007
【図６】
2010057844.tif 000008
【図７】
2010057844.tif 000009
【図８】
2010057844.tif 000010
【図９】
2010057844.tif 000011
【図１０】
2010057844.tif 000012